(57)【特許請求の範囲】
【請求項１】
ユニット外壁、或いはユニット内部の出入り口用の開口部に建具枠を取り付けたユニット式建物施工用の建物ユニットであって、
前記建具枠は、ユニットの床に配設した床下地材から立ち上がる縦枠材を備えており、この縦枠材の下端部を予め工場でカットし、当該縦枠材の下端面と前記床下地材との間に、前記床下地材上に敷設する床仕上げ面材の厚みと略同一高さに設定し、かつ、前記床仕上げ面材を前記床下地材上を滑らせながら前記床仕上げ面材の縁部を差し込む挿入空間を設けたことを特徴とする建物ユニット。
【請求項２】
前記縦枠材は、ユニット外側に設けたサッシの室内側に位置しているサッシ化粧枠であることを特徴とする請求項１記載の建物ユニット。
【請求項３】
前記縦枠材は、ユニット内部に設けたドア建具枠のドア縦枠であることを特徴とする請求項１記載の建物ユニット。
【請求項４】
ユニット外壁、或いはユニット内部の出入り口用の開口部に建具枠を取り付けた建物ユニットの床施工方法であって、
予め工場で、前記建具枠のユニットの床に配設した床下地材から立ち上がっている前記縦枠材の下端部をカットすることで、当該縦枠材の下端面と前記床下地材との間に床仕上げ面材の厚みと略同一高さの挿入空間を設けておき、施工現場で、前記床仕上げ面材を前記床下地材上を滑らせながら前記床仕上げ面材の縁部を前記挿入空間に差し込みながら該床下地材上に敷設していくことを特徴とする建物ユニットの床施工方法。
【請求項５】
前記挿入空間に差し込む床仕上げ面材の裏面に、該床仕上げ面材を底上げするパッキン材を配置することを特徴とする請求項４記載の建物ユニットの床施工方法。
【発明の詳細な説明】
【０００１】
【発明の属する技術分野】
この発明は、建物ユニット及び建物ユニットの床施工方法に関する。
【０００２】
【背景の技術】
ユニット式建物は、予め工場で箱状に製造した複数の建物ユニットを建築現場で組み合わせることによって建てられる。
【０００３】
建物ユニットは、４隅に立設する柱と、これら柱の上端及び下端間を相互に連結する天井梁及び床梁を有する骨組みとを備え、天井梁には天井野縁が掛け渡されているとともに、床梁には床根太が掛け渡されている。そして、天井野縁には天井材が取り付けられ、床根太には、床下地材が取り付けられている。
【０００４】
このようなユニット式建物では、外壁や、建物内部の間仕切り壁に出入り口を設けるために、工場において所定の建物ユニットの外側、或いは内側に設けた開口部に建具枠を取り付け、現場に輸送するようにしている。
【０００５】
【発明が解決しようとする課題】
ここで、ユニット式建物の床には、在来構法による建物の床と同様に、フローリングなどの床仕上げ面材が床下地材上に敷設される。この床仕上げ面材の敷設作業は、通常、建物ユニットの輸送時などに床仕上げ面材の表面に傷等が生じないように、建築現場で行うようにしている。
【０００６】
しかし、建具枠を取り付けた建物ユニットは、建具枠を構成している縦枠材の下端の一部が床下地材から立ち上がっているので、床仕上げ面材を敷設する前に、縦枠材の下端部を床仕上げ面材の厚さ分だけカットする作業を現場で行わなければならない。
【０００７】
このように、建具枠を取り付けた建物ユニットに床仕上げ面材を敷設する場合には、無理な姿勢で縦枠材の下端をカットする作業が必要となるので、施工現場での床仕上げ面材の施工作業に手間がかかり、ユニット式建物に望まれる施工現場での工期短縮化を十分に図ることができないという問題がある。
【０００８】
本発明は、上記事情に鑑みてなされたものであり、建具枠を取り付けた建物ユニットに対する床仕上げ面材の敷設作業を迅速に行える建物ユニット及び建物ユニットの床施工方法を提供することを目的としている。
【０００９】
【課題を解決するための手段】
上記問題を解決するための本発明を図面を参照して説明すると、図１から図３に示すように、本発明に係る建物ユニットは、ユニット外壁、或いはユニット内部の出入り口用の開口部に建具枠を取り付けたユニット式建物施工用の建物ユニットであって、前記建具枠は、ユニットの床に配設した床下地材２から立ち上がる縦枠材Ａを備えており、この縦枠材Ａの下端部を予め工場でカットし、縦枠材Ａの下端面Ａａと床下地材２との間に、床下地材２上に敷設する床仕上げ面材４の厚みと略同一高さＨに設定し、かつ、前記床仕上げ面材を前記床下地材上を滑らせながら前記床仕上げ面材の縁部を差し込む挿入空間６を設けている。
【００１０】
この発明によると、施工現場における縦枠材Ａの下端をカットする作業が不要となるので、ユニット式建物の工期短縮を十分に図ることができる。
ここで、縦枠材Ａは、ユニット外側に設けたサッシ８の室内側に位置しているサッシ化粧枠１０であることが望ましい。このようにすると、サッシ８に面した室内空間の床仕上げ面材４の敷設作業は、サッシ化粧枠１０の下端１０ａと床下地材２との間に設けた挿入空間６に床仕上げ面材４の差し込むことで簡単に行うことができる。
【００１１】
また、縦枠材Ａは、ユニット内部に設けたドア建具枠１２のドア縦枠１４であることが望ましい。このようにすると、室内ドアの回りの床仕上げ面材４の敷設作業は、ドア縦枠１４の下端１４ａと床下地材２との間に設けた挿入空間６に床仕上げ面材４の差し込むことで簡単に行うことができる。
【００１２】
一方、本発明に係る建物ユニットの床施工方法は、予め工場で、建具枠のユニットの床に配設した床下地材２から立ち上がっている縦枠材Ａの下端部をカットすることで、縦枠材Ａの下端面Ａａと床下地材２との間に床仕上げ面材４の厚みと略同一高さの挿入空間６を設けておき、施工現場で、床仕上げ面材４を前記床下地材上を滑らせながら前記床仕上げ面材の縁部を挿入空間６に差し込みながら床下地材２上に敷設していく方法である。この方法によると、施工現場における床仕上げ面材４の施工作業を、短時間の間に簡単に行うことができる。
【００１３】
また、挿入空間６に差し込む床仕上げ面材４の裏面に、床仕上げ面材４を底上げするパッキン材１６を配置してもよい。このようにすると、挿入空間６に差し込んだ床仕上げ面材４と縦枠材Ａの下端面Ａａとの間に隙間が発生しても、床仕上げ面材４の裏面にパッキン材１６を配置することで、隙間を無くすことができ、縦枠材Ａの下端部回りの床仕上げ面材４の敷設が煩雑にならない。
【００１４】
【発明の実施の形態】
以下、本発明に係る実施形態を図面に基づいて説明する。
図１は、本発明に係る第１実施形態を示すものであり、図中符号２は、ユニット式建物用の建物ユニットの床根太に配設したパーティクルボード等の床下地材であり、符号１２は、建物ユニットの内部の開口部の周囲に設けたドア建具枠１２である。このドア建具枠１２には、床下地材２との間に挿入空間６を設けた状態でドア縦枠１４（Ａ）が立ち上がっている。
【００１５】
前記挿入空間６は、予め工場で、床下地材２に当接しているドア縦枠１４の下端部をカットすることで形成されており、この挿入空間６の高さＨ（床下地材２とカットしたドア縦枠１４の下面１４ａ（Ａａ）の間の距離）は、床下地材２上に敷設するフローリング等の床仕上げ面材４の厚みと略同一の寸法に設定されている。
【００１６】
上記構成のように、ドア縦枠１４が立ち上がっている建物ユニットの床下地材２上に床仕上げ面材４を敷設するには、図２に示すように、挿入空間６に差し込み可能となるように縁部をカットした床仕上げ面材４を、床下地材２上を滑らせながらドア縦枠１４に向けて移動していき、その縁部を、挿入空間６に差し込む。
【００１７】
ここで、差し込んだ床仕上げ面材４とドア縦枠１４の下端面１４ａとの間に隙間が発生する場合には、図２に示すように、挿入空間６内にパッキン材１６を配置しておき、このパッキン材１６で床仕上げ面材４を底上げすることで、隙間を無くすことができる。
【００１８】
本実施形態によると、従来では施工現場で行われていたドア縦枠１４の下端のカット作業が、予め工場で行うようにしているので、ユニット式建物の工期短縮を十分に図ることができる。
【００１９】
また、室内ドアの回りの床仕上げ面材４の敷設作業が、ドア縦枠１４の下端１４ａと床下地材２との間に設けた挿入空間６に床仕上げ面材４の差し込むだけで簡単に行うことができる。
【００２０】
また、差し込んだ床仕上げ面材４とドア縦枠１４の下端面１４ａとの間に隙間が発生する場合であっても、パッキン材１６で床仕上げ面材４を底上げすることで隙間を無くすことができ、ドア縦枠１４の下端部回りの床仕上げ面材４の敷設作業の仕上げを高品質に行うことができる。
【００２１】
次に、図３は本発明に係る第２実施形態であり、ユニット式建物用の建物ユニットの外側に設けた開口部にサッシ８が取り付けられている状態を示すものである。このサッシ８の室内側には、サッシ化粧枠１０が設けられており、このサッシ化粧枠１０は、床下地材２との間に挿入空間６を設けた状態で立ち上がっている。
【００２２】
前記挿入空間６は、予め工場で、床下地材２に当接しているサッシ化粧枠１０の下端部をカットすることで形成されており、この挿入空間６の高さＨ（床下地材２とカットしたサッシ化粧枠１０の下面１０ａ（Ａａ）の間の距離）は、床下地材２上に敷設するフローリング等の床仕上げ面材４の厚みと略同一の寸法に設定されている。
【００２３】
上記構成のように、サッシ化粧枠１０が立ち上がっている建物ユニットの床下地材２上に床仕上げ面材４を敷設するには、図３で説明した作業と同様に、挿入空間６に差し込み可能となるように縁部をカットした床仕上げ面材４を、床下地材２上を滑らせながらドア縦枠１４に向けて移動していき、その縁部を、挿入空間６に差し込む。
【００２４】
本実施形態も、従来では施工現場で行われていたサッシ化粧枠１０の下端のカット作業を、予め工場で行うようにしているので、ユニット式建物の工期短縮を十分に図ることができる。
【００２５】
また、サッシ８近くの床仕上げ面材４の敷設作業が、サッシ化粧枠１０の下端１０ａと床下地材２との間に設けた挿入空間６に床仕上げ面材４の差し込むだけで簡単に行うことができる。
【００２６】
なお、本実施形態も、差し込んだ床仕上げ面材４とドア縦枠１４の下端面１４ａとの間に隙間が発生している場合には、床仕上げ面材４を底上げするパッキン材１６を使用してもよい。
【００２７】
【発明の効果】
以上説明したように、本発明によると、施工現場における縦枠材の下端をカットする作業が不要となるので、ユニット式建物の工期短縮を十分に図ることができるとともに、施工現場における床仕上げ面材の施工作業を、短時間の間に簡単に行うことができる。
【図面の簡単な説明】
【図１】本発明に係る建物ユニットの内部に配設した建具枠を示す図である。
【図２】本発明に係る建物ユニットの外側に配設した建具枠を示す図である。
【図３】建物ユニットの建具枠近くの床下地材上に床仕上げ面材を敷設する状態を示す図である。
【符号の説明】
２  床下地材
６  挿入空間
８  サッシ
１０  サッシ化粧枠
１２  ドア建具枠
１４  ドア縦枠
１４ａ  ドア縦枠の下端
１６  パッキン材
Ａ  縦枠材
Ａａ  縦枠材の下端面
Ｈ  高さ
【図１】
0004756748.tif 000002
【図２】
0004756748.tif 000003
【図３】
0004756748.tif 000004